(57)【要約】【課題】  電磁遮蔽材で構成された引き出しにおいて、物品に取り付けられたＲＦＩＤタグの物品情報が含まれる電磁波が、電磁遮蔽材による影響を受けることのなく読出装置に受信される什器を提供すること。【解決手段】  引き出し２０２の収納部１０３ａ、１０３ｂ内にＲＦＩＤタグ３０が付された物品１４が収納され、仕切板５０に配設された読出装置４４が、電磁遮蔽材から構成される引き出し２０２の前面、背面から所定間隔（Ｌ１、Ｌ２）離間させることができるるように引き出しに設けられた係止溝６１に係止することで、読出装置４４とＲＦＩＤタグ３０から発生される電磁波が電磁遮蔽材から影響を受けることがなく、電磁波の送受信が行え、ＲＦＩＤタグ３０の物品情報の読み出しが正確に行える。【選択図】  図５
2005144006.tif 000002
【特許請求の範囲】
【請求項１】
ＲＦＩＤタグが取り付けられた物品が収納可能になっている引き出しを備え、該引き出しには物品情報が記録された前記ＲＦＩＤタグの情報を読み出す読出装置が備えられる什器であって、前記引き出しは電磁遮蔽材によって構成されるとともに、仕切板により複数の収納部に区画され、該仕切板には前記読出装置が配設されていることを特徴とする物品情報を読出可能な引き出しを備える什器。
【請求項２】
前記読出装置は前記電磁遮蔽材から所定間隔離間されている請求項１に記載の物品情報を読出可能な引き出しを備える什器。
【請求項３】
前記仕切板は収納部に対して、その取付位置を変更できる請求項１または２に記載の物品情報を読出可能な引き出しを備える什器。
【請求項４】
前記仕切板は交差する間仕切板により分割され、該分割された仕切板のそれぞれには読出装置が配設されている請求項１乃至３のいずれかに記載の物品情報を読出可能な引き出しを備える什器。
【請求項５】
前記仕切板に２つの読出装置が対面状態で配設され、この２つの読出装置の間には、電磁波干渉防止部材が介挿されている請求項１乃至４のいずれかに記載の物品情報を読出可能な引き出しを備える什器。
【発明の詳細な説明】
【技術分野】
【０００１】
本発明は、物品情報が記録されたＲＦＩＤタグの情報を読出可能な引き出しを備える什器に関する。
【背景技術】
【０００２】
近年、什器に収納された物品の収納状態を管理するために、各物品に物品情報が記録されたＲＦＩＤタグを取り付け、ＲＦＩＤタグの情報を読出装置で読み出し、この読み出した情報に基づいて各物品の収納状態を管理するものが種々に開発されている。
【０００３】
この一例として、什器内に収納される物品のＲＦＩＤタグに記録される物品情報を什器の棚板に配設した読出装置によって読み出し、この読み出した物品情報に基づいて物品の管理を行うことが出来るようにした什器がある（特許文献１参照）。
【０００４】
【特許文献１】特開平７−１８２３５７号公報（段落００１１−００２２、第１−３図）
【発明の開示】
【発明が解決しようとする課題】
【０００５】
しかしながら、上記文献１のように什器側で物品情報を読み出すものにおいて、例えば、什器の一部が金属等の電磁遮蔽材（ＥＭＳ材）で構成されている場合には、この電磁遮蔽材の近傍に読出装置が配設された場合に、読出装置の磁気アンテナから発生される電磁波の磁界の向きに対して、電磁遮蔽材からは磁界が逆向きに発生されることで、読出装置からの電磁波が電磁遮蔽材によって影響されてしまうためにＲＦＩＤタグに起電力が発生しにくくなり、ＲＦＩＤタグに記録される物品情報を含む電磁波の読み取りに不具合が生じることがあった。特に電磁遮蔽材で構成された引き出しを備えた什器においては、読出装置の取付位置に苦慮し、最適な取付箇所が見出せなかった。
【０００６】
そこで本発明は、このような問題点に着目してなされたもので、電磁遮蔽材で構成された引き出しにおいても、物品に取り付けられたＲＦＩＤタグの物品情報が含まれる電磁波が、電磁遮蔽材による影響を受けることのなく読出装置に受信される什器を提供することを目的とする。
【課題を解決するための手段】
【０００７】
上記課題を解決するために、本発明の請求項１に記載の物品情報を読出可能な引き出しを備える什器は、ＲＦＩＤタグが取り付けられた物品が収納可能になっている引き出しを備え、該引き出しには物品情報が記録された前記ＲＦＩＤタグの情報を読み出す読出装置が備えられる什器であって、前記引き出しは電磁遮蔽材によって構成されるとともに、仕切板により複数の収納部に区画され、該仕切板には前記読出装置が配設されていることを特徴としている。
この特徴によれば、例えば、引き出しがスチール等の電磁遮蔽材で構成されたものであっても、読出装置は仕切板に配設されているので、読出装置からの電磁波を電磁遮蔽材にほとんど影響されることなくＲＦＩＤタグに受信させ、ＲＦＩＤタグからの電磁波を読出装置に受信させることができる。
【０００８】
本発明の請求項２に記載の物品情報を読出可能な引き出しを備える什器は、請求項１に記載の物品情報を読出可能な引き出しを備える什器であって、前記読出装置は前記電磁遮蔽材から所定間隔離間されていることを特徴としている。
この特徴によれば、仕切板に配設されている読出装置と電磁遮蔽材との間隔を常に離間させているので、ＲＦＩＤタグからの電磁波を電磁遮蔽材に影響されることなく読出装置に受信させることができる。
【０００９】
本発明の請求項３に記載の物品情報を読出可能な引き出しを備える什器は、請求項１または２に記載の物品情報を読出可能な引き出しを備える什器であって、前記仕切板は収納部に対して、その取付位置を変更できることを特徴としている。
この特徴によれば、収納される物品の形状や大きさにより仕切板の位置を所望の位置に設定できる読出装置を備える什器を提供できる。
【００１０】
本発明の請求項４に記載の物品情報を読出可能な引き出しを備える什器は、請求項１乃至３のいずれかに記載の物品情報を読出可能な引き出しを備える什器であって、前記仕切板は交差する間仕切板により分割され、該分割された仕切板のそれぞれには読出装置が配設されていることを特徴としている。
この特徴によれば、間仕切板によって分割された各収納部の仕切板にそれぞれ読出装置が配設されているので、各収納部に収納される物品の情報を収納部毎に読み出すことができる。
【００１１】
本発明の請求項５に記載の物品情報を読出可能な引き出しを備える什器は、請求項１乃至４のいずれかに記載の物品情報を読出可能な引き出しを備える什器であって、前記仕切板に２つの読出装置が対面状態で配設され、この２つの読出装置の間には、電磁波干渉防止部材が介挿されていることを特徴としている。
この特徴によれば、電磁波干渉防止部材の介挿により、隣接する読出装置の電磁波が干渉することがなく、それぞれ別個に区画された収納部に収納される物品の情報を区画毎に受信でき、読出装置の負荷も互いに分散される。
【発明を実施するための最良の形態】
【００１２】
本発明の実施例を以下に説明する。
【実施例１】
【００１３】
図１は本発明の実施例１における什器が適用された物品管理システムの構成を示すブロック図、図２は本発明の什器を示す正面図、図３は図２の什器のＡ―Ａ線の縦断面図、図４は什器に収納される引き出し内の仕切板の取付を示す斜視図、図５は図４の引き出しのＢ−Ｂ線の平面断面図である。
【００１４】
図１に示されるように、物品が収納される什器１は複数設置（本実施例では３台設置）されており、これら什器１側からは通信ケーブル２を介して中継装置１１に接続されており、中継装置１１は通信ケーブル２を介して什器アンテナ１０に接続されている。
【００１５】
物品管理システムの管理や運用を行う管理コンピュータ３と、この管理コンピュータ３のデータ入出力やデータ表示を行う入力端末４とが、ＬＡＮケーブル８を介して（本実施例ではＬＡＮを介して）相互接続されるとともに、通信ケーブル２を介して管理アンテナ９に接続されている。
【００１６】
一方、入力端末４は通信ケーブル２を介して、物品７に貼付または利用者認証カード６に内蔵されるＲＦＩＤタグからの電磁波を受信可能なＲＦＩＤリーダ／ライタ５に接続されている。什器アンテナ１０と管理アンテナ９とは、無線によって相互接続されており、種々のデータの送受信が行えるようになっている。
【００１７】
什器１は従来公知のラテラル式の什器２００の上部に書庫１００を載置した構成となっており、書庫１００には棚板２５、２６で区画された上棚収納部１０１と下棚収納部１０２が形成され、什器２００には引き出し２０１、２０２、２０３、２０４が備えられており、これらの収納部にファイルやカルテ等の書類を収納するファイルケースや書籍等の物品７が収納されている。後で詳述するが、什器１に収納されるファイルケースや書籍等の物品には、個々にＲＦＩＤタグが貼付されている。
【００１８】
什器２００の引き出し２０１、２０２、２０３、２０４には、後述する読出装置としてのＲＦＩＤアンテナが配設されており、ＲＦＩＤタグからの物品情報を含む電磁波を受信可能になっている。ＲＦＩＤアンテナは通信ケーブル２に接続され、中継装置１１、什器アンテナ１０、管理アンテナ９を介して、管理コンピュータ３に接続されており、これら引き出し２０１、２０２、２０３、２０４に収納されるＲＦＩＤタグの物品情報のデータが管理コンピュータ３に送信されることで、管理コンピュータ３で複数の引き出し２０１、２０２、２０３、２０４に収納される物品の管理を一元的に行えるようになっている。
【００１９】
また、什器２００には、解錠ランプ２１５、施解錠装置２１７、スピーカ２１６が設けられ、各引き出し２０１、２０２、２０３、２０４に対応して、引出し指示ランプ２１１、２１２、２１３、２１４が設けられており、前述のＲＦＩＤアンテナと同様に通信ケーブル２に接続され、中継装置１１、什器アンテナ１０、管理アンテナ９を介して、管理コンピュータ３に接続されており、管理コンピュータ３で一元的に引出し指示ランプ２１１、２１２、２１３、２１４の点灯、消灯または点滅を制御可能になっている。
【００２０】
図２に示されるように什器２００の引き出し２０１、２０２、２０３、２０４には、それぞれ取手２２０を備え、正面に対して前面側に引き出し可能になっている。引き出し２０１、２０２、２０３、２０４の各収納部は、後述する仕切板によって区分されており、各種書類が保管されるファイルケース１４が収納されている。
【００２１】
また、取手２２０の上部位置には、それぞれの引き出しに対応して引出し指示ランプ２１１、２１２、２１３、２１４が設けられており、管理コンピュータ３からの制御データに基づいて、これらランプの点灯消灯が制御され、例えば、指示ランプ２１２の点灯に基づいて、引き出し２０２の場所を利用者に報知可能な構成になっている。
【００２２】
正面上方には右側より、解錠ランプ２１５、施解錠装置２１７、スピーカ２１６が設けられている。施解錠装置２１７は手動によって外部から施解錠させることもできるが、通常は管理コンピュータ３からの制御データに基づいて、引き出し２０１、２０２、２０３、２０４の施解錠が行われるようになっている。引き出し２０１、２０２、２０３、２０４の解錠が行われると解錠ランプ２１５が点灯し、旋錠が行われると解錠ランプ２１５が消灯する構成になっている。スピーカ２１６は解錠ランプ２１５の代替手段として設けられており、ブザー等で報知可能になっている。
【００２３】
そこで、本実施例の什器２００が適用された物品管理システムの使用方法の一例である物品の貸出し方法を引き出し２０２を例にして説明する。なお、引き出し２０１、２０３、２０４に収納される物品の貸出し方法も同様のため説明を省略する。
【００２４】
まず、書類の貸出しを希望する利用者によって、図１に示される入力端末４より所望の書類が保管されるファイルケースがリストアップされ、貸出し予約が行われる。管理コンピュータ３は入力端末４からの貸出し予約に基づいて、該当するファイルケースが収納される什器２００の収納場所を特定する。
【００２５】
そして、管理コンピュータ３は特定された収納場所である什器２００の施解錠装置２１７に解錠信号、解錠ランプ２１５と引出し指示ランプ２１２に点灯信号を送信する。
【００２６】
管理コンピュータ３からの解錠信号に基づいて施解錠装置２１７が解錠され、点灯信号に基づいて図２に示されるように、解錠ランプ２１５と引出し指示ランプ２１２が点灯される。
【００２７】
そこで、解錠ランプ２１５の点灯を目印にファイルケースの収納場所まで利用者に移動してもらい、すでに解錠信号によって解錠された引き出し２０２を利用者によって取手２２０により前面に引き出してもらう。
【００２８】
指示ランプ２１２が予め管理コンピュータ３からの点灯信号に基づいて点灯していることから、利用者に対して引き出し２０２に貸出し予約された書類が保管されるファイルケースがある旨の報知がなされる。
【００２９】
そこで、貸出し予約された目的の書類が収納されたファイルケースが利用者よって取り出されると、引き出し２０２内の後述する仕切板に配設されたＲＦＩＤアンテナがファイルケースに貼付されたＲＦＩＤタグからの電磁波を受信できなくなり、利用者によって貸出し予約された書類が保管されるファイルケースが正しく取り出されたと判断される。
【００３０】
このファイルケースから利用者によって書類が取り出され、引き出し２０２内にファイルケースが収納されると、ＲＦＩＤアンテナがファイルケースのＲＦＩＤタグからの電磁波を再び受信することで、管理コンピュータ３は書類の貸出しが行われたと判断し、貸出し完了となる。
【００３１】
また、利用者が誤って貸出し予約した書類のファイルケースとは違うファイルケースを引き出し２０２から取り出した場合や、引き出し２０２に他のファイルケースを収納した場合、一定の時間が経過しても引き出しにファイルケースが戻されないには、管理コンピュータ３から引出し指示ランプ２１２やスピーカ２１６、解錠ランプ２１５に対してエラー信号を送信し、ランプの点滅やブザーによる報知を行うことで、利用者や管理者にエラー報知を行うようになっている。
【００３２】
次に、ＲＦＩＤアンテナが配設された引き出し２０２の構造と、ＲＦＩＤアンテナとＲＦＩＤタグの関係を、図３ないし図５を用いてさらに詳述して説明する。なお、引き出し２０１、２０３、２０４の構造も引き出し２０２と同様のため説明を省略する。
【００３３】
図３に示すように、引き出し２０２が収納される什器２００は、電磁遮蔽材（本実施例ではスチール材）である背面板１７、側面板１９、底板１８、から構成され、正面が開口するように引き出し収納庫２００ａが形成されている。側面板１９には案内レール２２６が４段設けられていて、引き出し２０２の側面に形成された嵌合レール２２７を案内レール２２６に摺動可能に嵌合させることで、引き出し２０２が引き出し収納庫２００ａに収納あるいは搬出される。
【００３４】
天板１６から背面板１７かけては、通信ケーブル２が配線されており、側面板１９に設けられた支持具２２５、天板１６の正面部に設けられた解錠ランプ２１５、そして図１に示すように、スピーカ２１６、施解錠装置２１７にそれぞれ接続されている。これら通信ケーブル２は束ねられて外部に配線され中継装置１１に接続されている。
【００３５】
引き出しは電磁遮蔽材である金属板から構成されており、引き出し２０２の内部には、図３において一部が破断された引き出し２０３が示されるように、収納部１０３内に仕切板５０が設けられており、この仕切板５０には後述するＲＦＩＤタグの読出装置に相当する仕切ＲＦＩＤアンテナ４４が配設されている。
【００３６】
引き出し２０２の左右の側面には摺動溝２２４が形成され、テンションローラ２２３が摺動溝２２４を介して引き出し２０２の前後方向に摺動可能に取り付けられている。また側面には、巻き取りワイヤー２２２が内挿されている従来公知のコンストンバネ２２１が設けられ、コンストンバネ２２１のワイヤー２２２の端部がテンションローラ２２３に接続固定されている。
【００３７】
支持具２２５に接続固定された通信ケーブル２には、さらに通信ケーブル２’が接続されており、さらにテンションローラ２２３に掛け渡され、引き出し２０２の背面側に配線され、仕切ＲＦＩＤアンテナ４４と引出し指示ランプ２１２にそれぞれ接続配線されている。
【００３８】
通信ケーブル２’が掛け渡されるテンションローラ２２３の回転軸が通信ケーブル２’に負荷が掛からない程度の一定の張力をもって吊持されながら、摺動溝２２４を介して摺動される。したがって、引き出し２０２の収納時、および引き出し時においても、テンションローラ２２３に掛け渡される通信ケーブル２’は撓むことなく一定の張力をもって什器２００内に配線される構成になっている。
【００３９】
次に、引き出し２０２の内部構造と仕切板５０の取付構造について詳述する。なお、引き出し２０１、２０３、２０４の内部構造も引き出し２０２と同様のため説明を省略する。
【００４０】
図４に示されるように、仕切本体５１には仕切ＲＦＩＤアンテナ４４が所定の位置に配設され、仕切本体５１の前後に形成された条溝（図示略）に蓋５２が嵌挿されることで仕切板５０を構成している。そして仕切ＲＦＩＤアンテナ４４は前述の通信ケーブル２’が引き出し２０２の背面側から引き出し２０２内に配設され接続されている。なお、蓋５２は、例えばファイルケース等の物品の収納時に、仕切ＲＦＩＤアンテナ４４に傷や故障等が発生することを未然に防いでいる。仕切板５０の前面と背面の上端位置には係止片５３が設けられている。
【００４１】
引き出し２０２の収納部１０３内の前面側と背面側には、非電磁遮蔽材（本実施例ではプラスチック材）からなる係止部材６０が設けられている。係止部材６０には所定の間隔をもって係止溝６１が複数形成されている。この前面側と背面側の係止溝６１に仕切板５０の係止片５３が嵌合可能になっており、矢印に示される方向に仕切板５０を差し込むことで係止片５３が係止溝６１に嵌合して係止され、仕切板５０が収納部１０３に取り付けられる。
【００４２】
このように、係止部材６０には係止溝６１が複数形成されるので、収納部１０３に収納される物品の形状や大きさに合わせて、仕切板５０の取り付け位置を所望の位置に設定できるようになっている。
【００４３】
前述した仕切板５０における仕切ＲＦＩＤアンテナ４４の所定の配設位置とは、図３に示すように、電磁遮蔽材で構成された引き出し２０２の収納部１０３の前面側から所定間隔（Ｌ１）離間され、同様に背面側からも所定間隔（Ｌ２）で離間されるように配置され、同様に底面側からも所定間隔（Ｌ３）で離間されるように配置される位置である。
【００４４】
なお、ＲＦＩＤアンテナと電磁遮蔽材との間隔については、ＲＦＩＤアンテナからの電磁波を電磁遮蔽材から影響されることなくＲＦＩＤタグに受信させ、ＲＦＩＤタグからの電磁波を電磁遮蔽材から影響されることなくＲＦＩＤアンテナに受信させるために、少なくともＲＦＩＤアンテナと電磁遮蔽材との間隔を４０ｍｍ以上離間させることが好ましいことが実験的に検証されている。
【００４５】
そこで、本実施例においては図３に示されるように、仕切板５０に配設される仕切ＲＦＩＤアンテナ４４と収納部１０３の前面側との間隔（Ｌ１）を５０ｍｍとし、仕切ＲＦＩＤアンテナ４４と収納部１０３の背面側との間隔（Ｌ２）を５０ｍｍとし、仕切ＲＦＩＤアンテナ４４と収納部１０３の底面側との間隔（Ｌ３）を５０ｍｍとした。
【００４６】
図５に示されるように、什器２００の仕切板５０は係止部材６０に複数形成された係止溝６１の中央に取り付けられ、収納部１０３が左収納部１０３ａと右収納部１０３ｂとに均等に区画され、これら左収納部１０３ａと右収納部１０３ｂには、ファイルケース１４が複数収納されており、これらファイルケース１４の両側面にはＲＦＩＤタグ３０が貼付されている。
【００４７】
このＲＦＩＤタグ３０の貼付位置は、それぞれのファイルケース１４毎に貼付位置をずらして貼付している。このようにすることで、仕切ＲＦＩＤアンテナ４４によって複数のＲＦＩＤタグ３０の物品情報を同時に読み出す際にも読み取りミスの発生を防止でき、正確に物品情報の読み出しが行えるようになっている。
【００４８】
係止部材６０に複数形成される係止溝６１は、いずれの係止溝６１に仕切板５０が取り付けられた場合であっても、常に仕切ＲＦＩＤアンテナ４４を引き出し２０２の側面側から所定間隔以上離間させる構成になっており、ＲＦＩＤタグ３０からの電磁波を引き出し２０２の側面側から影響されることなく仕切ＲＦＩＤアンテナ４４に受信される構成になっている。
【００４９】
このことから、仕切板５０がいずれの取付位置に取り付けられても、仕切ＲＦＩＤアンテナ４４は電磁遮蔽材で構成される引き出し２０２の前面、背面、底面及び側面から影響を受けることなく、左収納部１０３ａと右収納部１０３ｂに収納されるファイルケース１４のＲＦＩＤタグ３０との電磁波の送受信が行える。
【００５０】
以上の説明により実施例１の引き出し２０２の全体がスチール等の電磁遮蔽材で構成されていても、読出装置に相当する仕切ＲＦＩＤアンテナ４４が仕切板５０に配設されることにより、仕切板５０を収納部に設けられた係止部材６０の係止溝６１に係止させるだけで、引き出し２０２の収納部１０３の前面、背面、底面及び側面から所定間隔離間させるようにしたので、仕切ＲＦＩＤアンテナ４４とＲＦＩＤタグ３０から発生される電磁波が電磁遮蔽材から影響を受けることがなく、電磁波の送受信が行え、ＲＦＩＤタグ３０の物品情報の読み出しが正確に行える什器２００となっている。
【００５１】
また、実施例１においては、１つの仕切ＲＦＩＤアンテナ４４によって物品情報の読み出しを行っているが、本発明はこれに限定されるものではなく、仕切ＲＦＩＤアンテナ４４が配設された仕切板５０を複数設けても良く、例えば、実施例１の変形例として図６に示されるように、２つの仕切ＲＦＩＤアンテナ４４を係止部材６０に取り付けることによって、引き出し２０２内を左収納部１０３ａ、中収納部１０３ｃ、右収納部１０３ｂに区分けし、左収納部１０３ａのファイルケース１４と、中収納部１０３ｃの左側に配置されたファイルケース１４との物品情報を左側の仕切ＲＦＩＤアンテナ４４に読み出させ、右収納部１０３ｂのファイルケース１４と、中収納部１０３ｃの右側に配置されたファイルケース１４の物品情報を右側の仕切ＲＦＩＤアンテナ４４に読み出す構成にしてある。
【００５２】
このようにすることで、それぞれの仕切ＲＦＩＤアンテナ４４による物品情報の読み出し負荷を互いに分散させることができ、より正確に複数のＲＦＩＤタグ３０の物品情報の読み出しが行えるようになっている。
【実施例２】
【００５３】
本発明の実施例２の説明を図７、８に基づき説明する。図７は本発明の実施例２である引き出し２０２’の斜視図である。図８は引き出し２０２’の平面断面図である。なお、前記した実施例１と同様の構造部分に関しては、同一の符号を付すことにより詳細な説明は省略することとする。
【００５４】
前記の実施例１の引き出し２０２においては、１つの仕切ＲＦＩＤアンテナ４４で左収納部１０３ａ、右収納部１０３ｂに収納されるファイルケース１４のＲＦＩＤタグ３０と電磁波の送受信を行い物品情報の読み出しを行っているが、左収納部１０３ａと右収納部１０３ｂとに収納されるファイルケース１４のＲＦＩＤタグ３０の電磁波を別個に送受信が可能な読出装置を備えた仕切板５０’の構造ついて以下に説明する。
【００５５】
図７に示されるように、仕切板５０’には仕切ＲＦＩＤアンテナ４４が所定位置に配設され、仕切板５０’の左右の側面上端位置には係止片５３が設けられている。引き出し２０２’には電磁遮蔽材によって構成された間仕切板７０が設けられており、左収納部１０３ａと右収納部１０３ｂとが左右に区画されるように仕切板５０’と交差するように配設されている。
【００５６】
左収納部１０３ａと右収納部１０３ｂの引き出し２０２’の側面側には、非電磁遮蔽材（本実施例ではプラスチック材）からなる係止部材６０’が設けられている。同様に間仕切板７０の両側面にも係止部材６０’が設けられている。これら係止部材６０’には所定の間隔をもって係止溝６１’が複数形成されている。
【００５７】
この係止溝６１’に仕切板５０’の係止片５３が嵌合可能になっており、矢印に示される方向に仕切板５０’を差し込むことで係止片５３が両係止溝６１’、６１’に嵌合して係止され、仕切板５０’が間仕切板７０に交差するように左収納部１０３ａと右収納部１０３ｂに取り付けられる。
【００５８】
このように、係止部材６０’には係止溝６１’が複数形成されるので、左収納部１０３ａと右収納部１０３ｂに収納される物品の形状や大きさに合わせて、仕切板５０’の取り付け位置を所望の位置に設定できるようになっている。
【００５９】
また、引き出し２０２’の前面には左収納部１０３ａに対応して左収納部指示ランプ２１２ａ、右収納部１０３ｂに対応して右収納部指示ランプ２１２ｂが設けられ、これら左収納部指示ランプ２１２ａと右収納部指示ランプ２１２ｂは引き出し２０２’の背面側から左収納部１０３ａ、右収納部１０３ｂ内に配線された通信ケーブル２’に接続されている。
【００６０】
この通信ケーブル２’は、前述において説明した管理コンピュータ３に接続されており、同様に通信ケーブル２’に接続される仕切ＲＦＩＤアンテナ４４’の物品情報の読み出し状況に基づいて、管理コンピュータ３から左収納部指示ランプ２１２ａ及び右収納部指示ランプ２１２ｂの点灯、消灯または点滅が制御されるようになっている。
【００６１】
左収納部１０３ａと右収納部１０３ｂ内に取り付けられた仕切板５０’における仕切ＲＦＩＤアンテナ４４’の所定の配設位置とは、図８に示されるように電磁遮蔽材で構成された左収納部１０３ａと右収納部１０３ｂの引き出し２０２’の側面側から所定間隔（Ｌ４）離間され、同様に電磁遮蔽材で構成された間仕切板７０の両側面側からも所定間隔（Ｌ５）で離間されるように配置され、同様に図示しない底面側からも所定間隔で離間されるように配置される位置である。本実施例では（Ｌ４）を５０ｍｍとし、（Ｌ５）を５０ｍｍとした。
【００６２】
この所定間隔をもって仕切ＲＦＩＤアンテナ４４’が配設された仕切板５０’は、係止部材６０’に複数形成された係止溝６１’に嵌合固定され、左収納部１０３ａと右収納部１０３ｂに取り付けられる。左収納部１０３ａと右収納部１０３ｂには、ＲＦＩＤタグ３０が前面及び背面に貼付されたファイルケース１４が複数収納されている。
【００６３】
したがって、実施例２の引き出し２０２’の全体がスチール等の電磁遮蔽材で構成されていても、読出装置に相当する仕切ＲＦＩＤアンテナ４４’が仕切板５０’に配設されることにより、仕切板５０’を左収納部１０３ａと右収納部１０３ｂのそれぞれに設けられた係止部材６０’の係止溝６１’に係止させるだけで、引き出し２０２’の両側面から所定間隔（Ｌ４）離間させ、間仕切板７０の両側面から所定間隔（Ｌ５）離間させることができるので、仕切ＲＦＩＤアンテナ４４’とＲＦＩＤタグ３０から発生される電磁波が電磁遮蔽材から影響を受けることがなく、電磁波の送受信が行え、ＲＦＩＤタグ３０の物品情報の読み出しが正確に行える什器２００となっている。
【００６４】
このことから、間仕切板７０によって分割された左収納部１０３ａと右収納部１０３ｂに収納される複数のファイルケース１４の物品情報を２つの仕切ＲＦＩＤアンテナ４４’で、それぞれ別個に区画して受信できる。これにより、ＲＦＩＤタグ３０との電磁波の送受信に関わる２つの仕切ＲＦＩＤアンテナ４４’の負荷も分散されるので、読み取りミスを生じさせることなく、ＲＦＩＤタグ３０の物品情報の読み出しがより正確に行える。
【００６５】
なお、実施例２においては、間仕切板７０により引き出し２０２’を左収納部１０３ａと右収納部１０３ｂに区画し、それぞれに仕切板５０’を取り付けることで、ＲＦＩＤタグ３０の物品情報を区画された収納部１０３ａ、１０３ｂ毎に読み出し可能な構成になっているが、本実施例はこれに限定されるものではなく、引き出しの収納部を間仕切板によって前収納部と後収納部とに区画し、これら前後の収納部に仕切ＲＦＩＤアンテナが配設された仕切板を個々に取り付けることで、ＲＦＩＤタグ３０の物品情報を各収納部別に読み出す構成にしても良いことは言うまでもない。また、２つの仕切ＲＦＩＤアンテナ４４’が相互に干渉し合わなければ間仕切板７０を電磁遮蔽材で構成する必要はない。
【実施例３】
【００６６】
本発明の実施例３の説明を図９に基づき説明する。図９は本発明の実施例３である引き出し２０２’’の平面断面図である。なお、前記した第１、２実施例と同様の構造部分に関しては、同一の符号を付すことにより詳細な説明は省略することとする。
【００６７】
前記の実施例２の引き出し２０２’においては、仕切ＲＦＩＤアンテナ４４’がそれぞれ配設された２つの仕切板５０’で左収納部１０３ａと右収納部１０３ｂに収納されるファイルケース１４のＲＦＩＤタグ３０の電磁波を別個に送受信して物品情報の読み出しを行っているが、１つの仕切板５０’’で左収納部１０３ａと右収納部１０３ｂにそれぞれ収納されるファイルケース１４の物品情報を別個に読み出し可能な読出装置を備えた仕切板５０’’の構造ついて以下に説明する。
【００６８】
引き出し２０２’’は、仕切板５０’’によって左収納部１０３ａと右収納部１０３ｂに区画され、ＲＦＩＤタグ３０が貼付されたファイルケース１４が複数収納されている。仕切板５０’’の仕切本体５１と蓋５２の間には、仕切本体５１側から仕切ＲＦＩＤアンテナ４４ａ、磁性体２１、電磁遮蔽材８０、磁性体２１、仕切ＲＦＩＤアンテナ４４ｂが順に介挿され多層状に配設されている。
【００６９】
電磁遮蔽材８０は金属板によって構成されており、左右の仕切ＲＦＩＤアンテナ４４ａ、４４ｂの電磁波が互いに干渉することを防ぐ特性を有している。左右の仕切ＲＦＩＤアンテナ４４ａ、４４ｂと電磁遮蔽材８０との間に介挿される磁性体２１は、電磁遮蔽材８０から発生する磁界が左右の仕切ＲＦＩＤアンテナ４４ａ、４４ｂから発生する電磁波に与える影響を防ぐ特性を有している。
【００７０】
このことから、磁性体２１を電磁遮蔽材８０の両側面と左右の仕切ＲＦＩＤアンテナ４６、４５との間に介挿させることにより、左収納部１０３ａに収納されるファイルケース４４の物品情報を仕切ＲＦＩＤアンテナ４４ａで、そして右収納部１０３ｂに収納されるファイルケース４４の物品情報を仕切ＲＦＩＤアンテナ４４ｂで、それぞれ別個に区画して受信できる。これにより、ＲＦＩＤタグ３０との電磁波の送受信に関わる仕切ＲＦＩＤアンテナ４４ａ、４４ｂの負荷も互いのに分散されるので、ＲＦＩＤタグ３０の物品情報の読み出しが正確に行える。
【００７１】
したがって、実施例３の引き出し２０２’’では、読出装置に相当する仕切ＲＦＩＤアンテナ４４ａ、４４ｂとの間に、電磁遮蔽材８０の両側面に磁性体２１を備えた電磁波干渉防止部材を介挿することで、隣接する仕切ＲＦＩＤアンテナ４４ａ、４４ｂの電磁波が互いに干渉することがなく、それぞれ別個に区画された左収納部１０３ａと右収納部１０３ｂに収納される物品の情報を区画毎に受信できる。
【００７２】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、ファイルケースが収納される収納部を報知する手段として、引き出しの前面に引出し指示ランプが設けられているが、本発明はこれに限定されるものではなく、仕切板上面に直接報知手段としての指示ランプを設けて、引き出しを引き出したときに利用者に物品の収納場所を報知する様な構成にしても良い。
【００７３】
更に、ファイルケース１４を仕切板５０の左右どちら側の側板近傍に置いても物品情報が読み取り易いように、ファイルケース１４の両側面にＲＦＩＤタグ３０を貼付した例を示したが、ファイルケース１４等の物品の片側だけＲＦＩＤタグ３０を貼付するようにしたものでも、あるいは２箇所以上複数貼着しても良いことは言うまでもない。また、上記実施例では、引き出しに収納される物品例としてファイルケース１４が用いられているが、ＲＦＩＤタグが取り付けられた書籍や他の物品等を収納しても良い。
【図面の簡単な説明】
【００７４】
【図１】本発明の実施例１における什器が適用された物品管理システムの構成を示すブロック図である。
【図２】本発明の什器を示す正面図である。
【図３】図１の什器のＡ―Ａ線の縦断面図である。
【図４】図３の什器に収納される引き出しを示す斜視図である。
【図５】図４の引き出しが什器内に収納された状態を示すＢ−Ｂ線の平面断面図である。
【図６】本発明の実施例１の変形例である引き出し示す平面断面図である。
【図７】本発明の実施例２である引き出しを示す斜視図である。
【図８】図７の引き出しが什器内に収納された状態を示すＣ−Ｃ線の平面断面図である。
【図９】本発明の実施例３における引き出しの什器内収納時を示す平面断面図である。
【符号の説明】
【００７５】
１                    什器
２、２’              通信ケーブル
３                    管理コンピュータ
４                    入力端末
５                    ＲＦＩＤリーダ／ライタ
６                    利用者認証カード
７                    物品
８                    ＬＡＮケーブル
９                    管理アンテナ
１０                  什器アンテナ
１１                  中継装置
１４                  ファイルケース
１６                  天板（電磁遮蔽材）
１７                  背面板（電磁遮蔽材）
１８                  底板（電磁遮蔽材）
２１                  磁性体（電磁波干渉防止部材の一部）
２２                  アンテナ保護被膜
２５                  上棚収納部の棚板
２６                  下棚収納部の棚板
３０                  ＲＦＩＤタグ
４４、４４’          仕切ＲＦＩＤアンテナ（読出装置）
４４ａ                左側の仕切ＲＦＩＤアンテナ（読出装置）
４４ｂ                右側の仕切ＲＦＩＤアンテナ（読出装置）
５０、５０’、５０’’  仕切板
５１                  仕切本体
５２                  蓋
５３                  係止片
６０、６０’          係止部材
６１                  係止溝
７０                  間仕切板（電磁遮蔽材）
８０                  電磁遮蔽材（電磁波干渉防止部材の一部）
１００                書庫
１０１                上棚収納部
１０２                下棚収納部
１０３                物品の収納部（収納部）
１０３ａ、１０３ａ’  左収納部（収納部）
１０３ｂ、１０３ｂ’  右収納部（収納部）
１０３ｃ              中収納部（収納部）
２００                ラテラル式の什器
２００ａ              引き出し収納庫
２０１、２０２        引き出し
２０２’、２０２’’    引き出し
２０３、２０４        引き出し
２１１、２１２        引出し指示ランプ
２１３、２１４        引出し指示ランプ
２１２ａ              左収納部指示ランプ
２１２ｂ              右収納部指示ランプ
２１５                解錠ランプ
２１６                スピーカ
２１７                施解錠装置
２２０                取手
２２１                コンストンバネル
２２２                ワイヤー
２２３                テンションローラ
２２４                摺動溝
２２５                支持具
２２６                案内レール
２２７                嵌合レール
【図１】
2005144006.tif 000003
【図２】
2005144006.tif 000004
【図３】
2005144006.tif 000005
【図４】
2005144006.tif 000006
【図５】
2005144006.tif 000007
【図６】
2005144006.tif 000008
【図７】
2005144006.tif 000009
【図８】
2005144006.tif 000010
【図９】
2005144006.tif 000011